(57)【要約】【課題】本発明は、複数の画像処理装置で画像処理を分散処理する際のログ管理を適切に行う画像処理システム、画像処理管理方法、画像処理管理プログラム及び記録媒体に関する。【解決手段】画像処理システム１は、各種リソースを利用してそれぞれ画像処理する複数の複合装置ＭＦａ〜ＭＦｃがネットワークＮＷで接続され、印刷ジョブを受け取ると、該印刷ジョブの画像処理内容と画像処理の実行に使用するリソース毎の管理ログの生成ポリシーを示すログ管理ポリシーとを委譲印刷ジョブ要求として生成し、該委譲印刷ジョブ要求を他の複合装置ＭＦａ〜ＭＦｃに送る。他のＭＦＰａ〜ＭＦｃは、委譲印刷ジョブ要求を受け取ると、委譲印刷ジョブ要求を解析して画像処理内容及びログ管理ポリシーを解釈し、解釈結果に基づいて必要なリソースを利用して委譲された画像処理を実行して、該画像処理に利用したリソース毎の管理ログをログ管理ポリシーに基づいて生成する。【選択図】          図１
2010016730.tif 000002
【特許請求の範囲】
【請求項１】
各種リソースを利用してそれぞれ画像処理する複数の画像処理装置がネットワーク接続されている画像処理システムにおいて、画像処理要求を受け取ると、該画像処理要求の画像処理内容と該画像処理の実行に使用するリソース毎の管理ログの生成ポリシーを示すログ管理ポリシーとを委譲画像処理要求として生成する委譲画像処理要求生成手段と、該委譲画像処理要求を前記ネットワークを介して他の前記画像処理装置に送る委譲手段と、他の画像処理装置から委譲画像処理要求を受け取ると、該委譲画像処理要求を解析して画像処理内容及びログ管理ポリシーを解釈する解釈手段と、該解釈結果に基づいて必要なリソースを利用して委譲された該画像処理を実行する画像処理実行手段と、該解釈結果に基づいて該画像処理に利用されたリソース毎の管理ログを該ログ管理ポリシーに基づいて生成する管理ログ生成手段と、を備えていることを特徴とする画像処理システム。
【請求項２】
前記ログ管理ポリシーは、管理ログを生成する対象のリソースを特定する情報識別子と該情報識別子毎に管理ログを生成するログ生成タイミング情報を有することを特徴とする請求項１記載の画像処理システム。
【請求項３】
前記ログ管理ポリシーの前記情報識別子は、前記画像処理システムの前記各画像処理装置の全てのリソースに対して割り振られているとともに、該全ての画像処理装置に対して普遍の情報が用いられていることを特徴とする請求項２記載の画像処理システム。
【請求項４】
前記ログ管理ポリシーの前記情報識別子は、所定の画像処理で利用可能なリソースの種類を識別するグループ情報と該グループ情報に属する該リソース固有の固有情報とを有し、前記画像処理実行手段が、自装置の備えているリソースのうち、該グループ情報に基づいて前記画像処理要求の実行に使用するリソースを選択して前記画像処理を実行し、前記管理ログ生成手段が、該画像処理実行手段の使用した該リソースに関する管理ログを生成することを特徴とする請求項２または請求項３記載の画像処理システム。
【請求項５】
移譲先の前記画像処理装置の前記管理ログ生成手段は、前記委譲画像処理要求の所定のリソースに関する前記ログ管理ポリシーが、該リソースの管理ログの生成を行わない設定または該リソースが該委譲元の画像処理装置に存在しない場合には、移譲先の該画像処理装置のログ管理ポリシーに基づいて該リソースについて管理ログを生成するか否か制御することを特徴とする請求項１から請求項４のいずれかに記載の画像処理システム。
【請求項６】
移譲先の前記画像処理装置は、少なくとも前記委譲画像処理要求に応じて生成した前記管理ログを保管する設定とはなっていないときには、該委譲画像処理要求の委譲元の画像処理装置またはネットワーク上のログ収集サーバに、生成した該管理ログを送信することを特徴とする請求項１から請求項５のいずれかに記載の画像処理システム。
【請求項７】
委譲先の前記画像処理装置は、前記解釈手段が、前記委譲画像処理要求を解析し、前記画像処理実行手段に画像処理内容を通知し、前記管理ログ生成手段に、前記管理ログとして生成するリソースを特定する情報識別子と管理ログを生成するタイミング情報を通知することを特徴とする請求項１から請求項６のいずれかに記載の画像処理システム。
【請求項８】
ネットワークで接続されている画像処理装置が画像処理要求を他の画像処理装置に委譲する画像処理制御方法であって、受け取った画像処理要求の画像処理内容と該画像処理要求の実行に使用するリソース毎の管理ログの生成ポリシーを示すログ管理ポリシーを委譲画像処理要求として生成する委譲画像処理要求生成処理ステップと、他の画像処理装置から受け取った該委譲画像処理要求を解析して画像処理内容及びログ管理ポリシーを解釈する解釈処理ステップと、該解釈結果に基づいて必要なリソースを利用して委譲された該画像処理を実行する画像処理実行処理ステップと、該解釈結果に基づいて該画像処理に利用されたリソース毎の管理ログを該ログ管理ポリシーに基づいて生成する管理ログ生成処理ステップと、を有していることを特徴とする画像処理制御方法。
【請求項９】
ネットワークで接続されている画像処理装置が画像処理要求を他の画像処理装置に委譲する画像処理制御プログラムであって、コンピュータに、受け取った画像処理要求の画像処理内容と該画像処理要求の実行に使用するリソース毎の管理ログの生成ポリシーを示すログ管理ポリシーを委譲画像処理要求として生成する委譲画像処理要求生成処理、他の画像処理装置から受け取った該委譲画像処理要求を解析して画像処理内容及びログ管理ポリシーを解釈する解釈処理と、該解釈結果に基づいて必要なリソースを利用して委譲された該画像処理を実行する画像処理実行処理と、該解釈結果に基づいて該画像処理に利用されたリソース毎の管理ログを該ログ管理ポリシーに基づいて生成する管理ログ生成処理と、を実行させることを特徴とする画像処理制御プログラム。
【請求項１０】
請求項９記載の画像処理制御プログラムを記録したことを特徴とするコンピュータが読み取り可能な記録媒体。
【発明の詳細な説明】
【技術分野】
【０００１】
本発明は、画像処理システム、画像処理管理方法、画像処理管理プログラム及び記録媒体に関し、詳細には、複数の画像処理装置で画像処理を分散して処理する際のログ管理を適切に行う画像処理システム、画像処理管理方法、画像処理管理プログラム及び記録媒体に関する。
【背景技術】
【０００２】
近年、プリンタ装置、複写装置、複合装置、ファクシミリ装置、スキャナ装置等の画像処理装置の高効率化・高速化を図るために、１つの画像処理要求を複数の画像処理装置で分散して処理したり、受けた画像処理要求を他の画像処理装置に委譲して分散して処理する分散処理が行われるようになってきている。
【０００３】
一方、機器の動作においては、機器の動作管理を適切に行って、課金やセキュリティの確保を行う上で、ログ管理の重要性が問題となってきている。
【０００４】
そして、ログ管理に関しては、従来、動作実行手段の実行する動作の内容を段階的に示す記録レベルの作成において、記録すべき動作を抽出して、抽出した動作の履歴を記録する技術が提案されている（特許文献１参照）。
【０００５】
【特許文献１】特許第４０２４６０８号公報
【発明の開示】
【発明が解決しようとする課題】
【０００６】
しかしながら、上記従来技術にあっては、動作指示情報を段階的に示して、その段階毎にログレベルを設定する制御情報でログの量を調節することはできるが、動作指示時に制御情報を指示することができないため、１つの画像処理要求を他の画像処理装置に分散して行う分散処理においてはログ管理ポリシーを共有することができず、また、制御情報を指示しても、ログレベルで指定することとなるため、ログに残す情報とタイミングを動的に詳細に指定することはできず、動作指示した側と指示された側のどちらの設定を優先させてログを残すかも設定することができず、適切にログ管理ポリシーを共有することができず、ログ管理の適正化を図る上で、改良の必要があった。
【０００７】
そこで、本発明は、画像処理を分散処理する場合のログ管理を適切に行う画像処理システム、画像処理管理方法、画像処理管理プログラム及び記録媒体を提供することを目的としている。
【課題を解決するための手段】
【０００８】
本発明は、上記目的を達成するために、ネットワークで接続され、各種リソースを利用してそれぞれ画像処理する複数の画像処理装置が、画像処理要求を受け取ると、該画像処理要求の画像処理内容と該画像処理の実行に使用するリソース毎の管理ログの生成ポリシーを示すログ管理ポリシーとを委譲画像処理要求として生成し、該委譲画像処理要求を該ネットワークを介して他の前記画像処理装置に送って、他の画像処理装置が委譲画像処理要求を受け取ると、該委譲画像処理要求を解析して画像処理内容及びログ管理ポリシーを解釈し、該解釈結果に基づいて必要なリソースを利用して委譲された該画像処理を実行し、該解釈結果に基づいて該画像処理に利用されたリソース毎の管理ログを該ログ管理ポリシーに基づいて生成することを特徴としている。
【０００９】
また、本発明は、前記ログ管理ポリシーは、管理ログを生成する対象のリソースを特定する情報識別子と該情報識別子毎に管理ログを生成するログ生成タイミング情報を有することを特徴としてもよい。
【００１０】
さらに、本発明は、前記ログ管理ポリシーの前記情報識別子は、前記画像処理システムの前記各画像処理装置の全てのリソースに対して割り振られているとともに、該全ての画像処理装置に対して普遍の情報が用いられていることを特徴としてもよい。
【００１１】
また、本発明は、前記ログ管理ポリシーの前記情報識別子は、所定の画像処理で利用可能なリソースの種類を識別するグループ情報と該グループ情報に属する該リソース固有の固有情報とを有し、前記画像処理の実行において、自装置の備えているリソースのうち、該グループ情報に基づいて前記画像処理要求の実行に使用するリソースを選択して前記画像処理を実行し、該画像処理の実行で使用した該リソースに関する管理ログを生成することを特徴としてもよい。
【００１２】
さらに、本発明は、移譲先の前記画像処理装置での前記管理ログ生成において、前記委譲画像処理要求の所定のリソースに関する前記ログ管理ポリシーが、該リソースの管理ログの生成を行わない設定または該リソースが該委譲元の画像処理装置に存在しない場合には、移譲先の該画像処理装置のログ管理ポリシーに基づいて該リソースについて管理ログを生成するか否か制御することを特徴としてもよい。
【００１３】
また、本発明は、移譲先の前記画像処理装置は、少なくとも前記委譲画像処理要求に応じて生成した前記管理ログを保管する設定とはなっていないときには、該委譲画像処理要求の委譲元の画像処理装置またはネットワーク上のログ収集サーバに、生成した該管理ログを送信することを特徴としてもよい。
【発明の効果】
【００１４】
本発明によれば、画像処理をネットワーク上の複数の画像処理装置で分散処理する場合の管理ログをログ管理ポリシーに基づいてリソース毎に適切に作成することができ、ログ管理を適切に行うことができる。
【発明を実施するための最良の形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図１２は、本発明の画像処理システム、画像処理管理方法、画像処理管理プログラム及び記録媒体の一実施例を示す図であり、図１は、本発明の画像処理システム、画像処理管理方法、画像処理管理プログラム及び記録媒体の一実施例を適用した画像処理システム１のシステム構成図である。
【００１７】
図１において、画像処理システム１は、ＬＡＮ（Local Area Network）等のネットワークＮＷに画像処理装置として複数台（図１では、３台のみ記載）の複合装置ＭＦａ〜ＭＦｃと複数台（図１では、１台のみ記載）のクライアントＣｔが接続されており、クライアントＣｔが各複合装置ＭＦａ〜ＭＦｃにネットワークを介して画像処理、例えば、印刷データの印刷処理を要求する。各複合装置ＭＦａ〜ＭＦｃは、それぞれセキュリティを確保するためのセキュリティポリシー（セキュリティ方針）Ｓａ〜Ｓｃを保持している。
【００１８】
クライアントＣｔは、本体、ディスプレイ等の出力デバイス、マウスやキーボード等の入力デバイス等の通常のハードウェア構成のコンピュータ等が用いられており、ウィンドウズ（登録商標）等のＯＳ（Operating System）上にアプリケーション（アプリケーションソフトウェア）とプリンタドライバが搭載されている。クライアントＣｔは、アプリケーションで作成・編集等の行われた文書データの印刷要求があると、プリンタドライバを使用して該文書データを印刷先の複合装置ＭＦａ〜ＭＦｃの処理可能な印刷データに変換して各種印刷設定とともに印刷ジョブを生成してネットワークを介して印刷先の複合装置ＭＦａ〜ＭＦｃ、例えば、複合装置ＭＦａに印刷ジョブ（画像処理要求）を送信する。
【００１９】
各複合装置ＭＦａ〜ＭＦｃは、例えば、図２に示すように、本体筐体１０に、複数の給紙トレイ１１、１２、１３、排紙トレイ１４及びスキャナ部１５等を備えているとともに、本体筐体１０内に、図示しないプリンタ部、ファクシミリ部等を備え、また、本体筐体上部に操作表示部を備えている。
【００２０】
そして、複合装置ＭＦａ〜ＭＦｃは、図３に示すように、ハードディスク２１、メモリ２２、ＣＰＵ（Central Processing Unit ）２３等を搭載しているとともに、ハードディスク２１またはメモリ２２に格納されているウィンドウズ（登録商標）等のＯＳ（Operating System）３０上に、アプリケーション４０が搭載され、該アプリケーション４０の機能として、通信機能部４１、スキャナ機能部４２、プリンタ機能部４３、ファクシミリ機能部４４、ログ取得機能部４５、ログ管理ポリシー解析機能部４６、ジョブ管理機能部４７、リソース管理機能部４８、ログ管理機能部４９、ログ管理ポリシー機能部５０及び操作表示機能部５１の各機能部が実現される。
【００２１】
すなわち、複合装置ＭＦａ〜ＭＦｃは、複合装置ＭＦａ〜ＭＦｃとしての基本プログラム及び後述するログ管理を実行する画像処理管理プログラムがハードディスク２１またはメモリ２２に導入され、実行されることで上記各機能部４１から５１が構築され、複合装置ＭＦａ〜ＭＦｃとしての基本処理を実行するとともに、本発明の画像処理管理方法を実行する。特に、複合装置ＭＦａ〜ＭＦｃは、ＲＯＭ（Read Only Memory）、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像処理管理方法を実行する画像処理管理プログラムを読み込んでハードディスク２１やメモリ２２に導入することで、後述する画像処理管理方法を実行する画像処理システム１の一部を構成する画像処理装置として構築されている。この画像処理管理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２２】
通信機能部４１は、ネットワークＮＷを介してクライアントＣｔ及び他の複合装置ＭＦａ〜ＭＦＰｃと通信を行い、クライアントＣｔからの印刷ジョブの受信、印刷結果の送信等のクライアントＣｔとの印刷ジョブに関する情報の交換、他の複合装置ＭＦａ〜ＭＦＰｃに印刷ジョブの分散処理の依頼（委譲画像処理要求）と該印刷ジョブの分散処理に伴うログ管理情報の交換等を行う。
【００２３】
スキャナ機能部４２は、リソースとしてのスキャナ部１５による原稿の読み取りを実現し、スキャナ部１５としては、例えば、ＣＣＤ（Charge Coupled Device ）を利用したラインイメージセンサ等が用いられており、一般にリソースとしてのＡＤＦを備えている。ＡＤＦには、複数枚の原稿がセットされ、ＡＤＦは、セットされた原稿を１枚ずつスキャナ部１５の原稿読取位置に送給する。スキャナ部１５は、ＡＤＦから搬送されてきた原稿を走査し、原稿の画像を所定の解像度で読み取る。
【００２４】
プリンタ機能部４３は、リソースとしてのプリンタ部の動作制御を行い、プリンタ部に、リソースとしての給紙トレイ１１〜１３から送られてくる用紙に、印刷データに基づいて印刷処理を実行させて、印刷の完了した用紙を排紙トレイ１４上に排出させる。
【００２５】
また、図２及び図３では、示していないが、複合装置ＭＦａ〜ＭＦｃは、ステープル処理、折り処理、パンチ処理等の後処理を行う後処理機構（リソース）を備えていてもよく、この場合、アプリケーション４０に該後処理を制御する機能部が追加されることとなる。
【００２６】
ファクシミリ機能部４４は、網制御部やモデム等をリソースとして利用してＧ３、Ｇ４等のファクシミリ通信手順に従って、スキャナ部１５で読み取った原稿画像データやクライアントＣｔ等から受信した画像データをファクシミリ送信し、また、相手複合装置ＭＦからのファクシミリ画像データのファクシミリ受信を行う。
【００２７】
ログ取得機能部４５は、複合装置ＭＦａ〜ＭＦｃでジョブを実行すると、該実行したジョブのログを各リソース毎に取得する。このジョブとしては、例えば、印刷ジョブの場合、図４に示すように、ジョブ名（例えば、印刷）、ユーザ名（例えば、○○△△）、グループ名（例えば、ユーザ）、ジョブオプション：色（例えば、自動）、ジョブオプション：両面（例えば、なし）、ジョブオプション：パンチ（例えば、なし）等である。
【００２８】
ログ管理ポリシー解析機能部４６は、他の複合装置ＭＦａ〜ＭＦＰｃから委譲印刷ジョブ要求（委譲画像処理要求）を受け取った際に、該委譲印刷ジョブ要求に含まれている管理ロブポリシーを解析し、ジョブ管理機能部４７は、クライアントＣｔからのジョブの管理を行う。リソース管理機能部４８は、複合装置ＭＦａ〜ＭＦｃの備えているリソース（資源）、例えば、ハードディスク２１、メモリ２２、通信部、スキャナ部１５、プリンタ部、ファクシミリ部、操作表示部等を管理し、ログ管理機能部４９は、ジョブ実行時にログ管理ポリシー解析機能部４６の解析結果に応じた管理ログをリソース毎に記録する。ログ管理ポリシー機能部５０は、ログ管理ポリシーの作成を行い、リソース毎にログ管理のポリシーの設定を行う。
【００２９】
操作表示機能部５１は、操作表示部での入力操作の取得の制御や操作表示部のディスプレイへの表示制御等を行い、操作表示部の操作に基づいて、複合装置ＭＦａ〜ＭＦｃとしてジョブ要求、例えば、印刷要求等を出す。
【００３０】
次に、本実施例の作用を説明する。本実施例の画像処理システム１は、クライアントＣｔから複合装置ＭＦａ〜ＭＦＰｃにジョブ、例えば、印刷ジョブの要求を行った際に、依頼を受けた複合装置ＭＦａ〜ＭＦｃが他のジョブを実行中等の理由で該ジョブの実行を他の複合装置ＭＦａ〜ＭＦＰｃに委譲する際に、必要なログのみで適切にログ管理を行うために、印刷ジョブの委譲の際にログ管理ポリシーを含めた委譲印刷ジョブ要求を他の複合装置ＭＦａ〜ＭＦＰｃに行い、委譲印刷ジョブ要求を受けた他の複合装置ＭＦａ〜ＭＦＰｃは、該委譲印刷ジョブ要求のログ管理ポリシーを解析して、要求された印刷ジョブの実行を行うとともに、ログ管理ポリシーに応じたログ取得とログ管理を行う。
【００３１】
いま、クライアントＣｔから印刷ジョブを複合装置ＭＦａに対して行い、複合装置ＭＦａが複合装置ＭＦｂに印刷ジョブの委譲を行う場合について、図５に基づいて説明する。図５において、クライアントＣｔから文書データを指定して印刷設定（用紙サイズ、解像度、カラー、部数、後処理の内容等）とともに印刷ジョブ（図５では、操作要求）が複合装置ＭＦａに送られて印刷要求が行われると（図５のＳ１０）、複合装置ＭＦａは、該印刷ジョブをジョブ管理機能部４７で管理して、自装置では、対応できないと判断すると、ジョブ管理機能部４７が印刷ジョブを他の複合装置ＭＦｂに委譲するための印刷ジョブの委譲の作成を行い、また、ログ管理ポリシー機能部５０が、印刷ジョブを他の複合装置ＭＦｂに委譲するためのログ管理ポリシー（通常、複合装置ＭＦａの実行しているログ管理ポリシーと同じログ管理ポリシー）の作成を行う。
【００３２】
この委譲印刷ジョブ要求は、例えば、図４に示したようなものであり、ジョブ名（操作名）、ユーザ名、グループ名、操作毎の独自のオプションであるジョブオプション（色、両面、パンチ、縮小拡大等）についての設定であり、これらのオプションは、スキャナやファクシミリ等の操作毎に内容が変わる。
【００３３】
すなわち、複合装置ＭＦａはクライアントＣｔから印刷ジョブを受け取って他の複合装置ｂに印刷ジョブの委譲を行う場合、ジョブ管理機能部４７は、例えば、図６に示すように、依頼された印刷ジョブを実行するのに使用する印刷用モジュールＭａ、Ｍｂ・・・毎にジョブ実行依頼Ｊａ、Ｊｂ・・・を作成する。この印刷モジュールＭａ、Ｍｂ・・・毎のジョブ実行依頼Ｊａ、Ｊｂ・・・は、ジョブの内容、リソース情報及びリソース毎のログ記録タイミグで構成されている。
【００３４】
複合装置ＭＦａ〜ＭＦｃ及びクライアントＣｔとの間で交換する印刷ジョブの記述形式は、ＣＳＶ（Comma Separated Values）形式やＸＭＬ（Extensible Markup Language）等の種々の形式を用いることができ、ＣＳＶ形式の場合、以下のように表現される。
【００３５】
ジョブ名,印刷
ユーザ名,○○△△
グループ名,ユーザ
ジョブオプション：色,自動
ジョブオプション：両面,なし
ジョブオプション：パンチ,なし
また、同様の内容の委譲印刷ジョブをＸＭＬ形式で表現すると、次のように示される。
【００３６】
<jobRequest>
<jobName>印刷</jobName>
<userName>○○△△</userName>
<groupName>ユーザ</groupName>
<option>
<color>自動</color>
<duplex>なし</duplex>
<punch>なし</punch>
</option>
</jobRequest>
上述のように、ＸＭＬ表現形式の方が、階層を表現することができ、より柔軟性に富んでいる。
【００３７】
また、この委譲のための印刷ジョブは、複合装置ＭＦａがクライアントＣｔから受けた印刷ジョブと同様のものであるが、ログ管理ポリシーは、図７に示すように、各情報識別子（リソース識別子）毎に、設定することができ、ポリシーとしては、図７では、記録タイミングを指定している。例えば、図７の場合、「００１−４８４３−８４５６−８８４５−１」なる識別子のリソースに対して、ジョブを実行する前［Ｂｅｆｏｒｅ］に記録することを指示している。すなわち、ログ管理ポリシーは、ジョブの管理ログとして記録するリソースの識別子とそのログ情報を記録するタイミングで構成されており、リソースの識別子は、任意の文字列で表現でき、リソースのオーナであるモジュールを表す文字列を用いて階層的に表現することが望ましい。
【００３８】
ログ管理ポリシーの識別子は、図４の操作要求内容（印刷ジョブの内容）である「印刷、○○△△、ユーザ、自動、なし、なし」等の論理的な情報や、複合装置ＭＦａ〜ＭＦｃの給紙トレイ１１、１２、１３、排紙トレイ１４及びスキャナ部１５等の物理的な情報が含まれ、複合装置ＭＦａ〜ＭＦｃ内のリソース全てに識別子が割り振られていて、識別子は全ての複合装置ＭＦａ〜ＭＦｃで共通（普遍）である。ログ管理ポリシーの情報をこのような形態とすることで、複合装置ＭＦａ〜ＭＦｃ間でジョブの委譲を行ったときに、ログ管理ポリシーの相異を吸収する。
【００３９】
なお、情報識別子は、図８に下線を引いて示す上位の１５桁が、情報識別子のグループを表しており、情報識別子のグループが同じ識別子が存在する場合は、リソース情報を代替して用いることができる。例えば、図８に示す「００１−４８４３−８４５６−８８４５−１」の識別子のリソースは存在しないが、「００１−４８４３−８４５６−８８４５−２」の識別子のリソースは存在する場合、「００１−４８４３−８４５６−８８４５−２」の識別子のリソースを利用して画像処理し、また、そのリソースのログ管理情報を用いることができる。このように識別子をそのグループで共通に利用できるようにすることで、ログ管理ポリシーに記載されている識別子に完全に対応する情報を持たない複合装置ＭＦａ〜ＭＦｃが存在する場合にも、該グループの識別子のリソースを使用したジョブの実行と管理ログの生成を可能としている。
【００４０】
なお、このような代替できる識別子は、各複合装置ＭＦａ〜複合装置ＭＦｃに存在しても、同一複合装置ＭＦａ〜複合装置ＭＦｃには１つのみしか存在しない。また、各複合装置ＭＦａ〜複合装置ＭＦｃは、それぞれログ管理機能部４９がそれぞれのログを管理しているが、この管理するログには、それぞれの複合装置ＭＦａ〜複合装置ＭＦｃのセキュリティポリシーＳａ〜Ｓｃによって、ログ記録の必要性が異なるため、例えば、図９に示すように、リソースの識別子毎に、記録有無の設定が可能となっている場合がある。このようにリソースの識別子について、記録の必要がない「無」が設定されていると、該複合装置ＭＦａ〜複合装置ＭＦｃでは、記録有無に「無」の設定されている識別子についての管理ログが記録されないことになる。
【００４１】
すなわち、委譲元の複合装置ＭＦａから移譲先の複合装置ＭＦｂに送付されたログ管理ポリシーによっては、本来であれば、管理ログとして記録するべき情報が記録されなくなる場合もある。例えば、複合装置ＭＦａから複合装置ＭＦｂに印刷ジョブが委譲された際、送付されたログ管理ポリシーが図７に示したような内容であり、複合装置ＭＦｂのログ管理ポリシーが図９のような場合、複合装置ＭＦｂは、自己のログ管理ポリシーの情報識別子（図９の情報識別子）を確認するが、最後の情報識別子である「１１１−４８６５−４８５１−２５６９−２」は、複合装置ＭＦａから送付されたログ管理ポリシーにはないため、複合装置ＭＦａのログ管理ポリシーに従えば、複合装置ＭＦｂは、この情報識別子については、管理ログとして記録しないことになるが、この情報識別子３５の記録有無が「有」なっているので、複合装置ＭＦｂは、この複合装置ＭＦａのログ管理ポリシーにはないが複合装置ＭＦｂの「１１１−４８６５−４８５１−２５６９−２」の識別子の管理ログについても記録する。
【００４２】
そして、印刷ジョブの委譲において、委譲元の複合装置ＭＦａは、ログ管理ポリシーをログ管理ポリシー機能部５０で生成して、印刷ジョブとともに移譲先の複合装置ＭＦｂに委譲印刷ジョブ要求として送信するが、このログ管理ポリシーも、印刷ジョブと同様に、ＣＳＶ形式やＸＭＬ等の種々の形式を用いることができ、ＣＳＶ形式の場合、以下のように表現される。
情報識別子, 記録タイミング,
001-4843-8456-8845-1, Before
001-5948-4945-5945-1, After
002-4856-8456-8156-2, After
001-0015-8562-8654-2, Before
003-4865-4851-2569-2, Before
また、ＸＭＬ形式の場合、以下のように表現される。
<informationIdentifierList>
<informationIdentifier>
<identifier>001-4843-8456-8845-1</identifier>
<timing>Before</timing>
</informationIdentifier>
<informationIdentifier>
<identifier>001-5948-4945-5945-1</identifier>
<timing>After</timing>
</informationIdentifier>
<informationIdentifier>
<identifier>002-4856-8456-8156-2</identifier>
<timing>After</timing>
</informationIdentifier>
<informationIdentifier>
<identifier>001-0015-8562-8654-2</identifier>
<timing>Before</timing>
</informationIdentifier>
<informationIdentifier>
<identifier>003-4865-4851-2569-2</identifier>
<timing>Before</timing>
</informationIdentifier>
</informationIdentifierList>
このように、印刷ジョブの場合と同様に、ログ管理ポリシーについても、ＸＭＬ形式で表現する方が、階層を表現することができ、より柔軟性がある。
【００４３】
そして、このようにして作成されるログ管理ポリシーと印刷ジョブは、複合装置ＭＦａから移譲先の複合装置ＭＦｂに双方の通信機能部４１の機能を利用して、ネットワークＮＷを介して送信するが、このときの通信方式としては、種々のものを用いることができ、特に、ＩＰ（Internet Protocol）を利用する方式であれば、適宜のものを用いることができ、例えば、ＳＩＰ（Session Initiation Protocol）、ＳＮＭＰ（Simple Network Management Protocol）、ウェブ（Ｗｅｂ）サービスを用いることもできる。特に、ウェブサービスを用いると、拡張性が高くなる。また、印刷ジョブとログ管理ポリシーをそれぞれＸＭＬで表現する場合には、Ａｔｏｍ（Atom（アトム）やＳＯＡＰ（Simple Object Access Protocol）等を用いることができ、一般的な仕様を用いることができるので、拡張性を向上させることができる。
【００４４】
例えば、Ａｔｏｍを用いて印刷ジョブとログ管理ポリシーを合わせて委譲印刷ジョブ要求として送信する場合は、以下のようになる。
<entry>
<id>entryId</id>
<title>entryTitle</title>
<author>
<name>entryName</name>
</author>
<updated>1970-01-01T00:00:00Z</updated>
<job:jobRequest xmlns:job="http://example.schemas.com/job">
<job:jobName>印刷</job:jobName>
<job:userName>○○△△</job:userName>
<job:groupName>ユーザ</job:groupName>
<job:option>
<job:color>自動</job:color>
<job:duplex>なし</job:duplex>
<job:punch>なし</job:punch>
</job:option>
</job:jobRequest>
<info:informationIdentifierList xmlns:info="http://example.schemas.com/info">
<info:informationIdentifier>
<info:identifier>001-4843-8456-8845-1</info:identifier>
<info:timing>Before</info:timing>
</info:informationIdentifier>
<info:informationIdentifier>
<info:identifier>001-5948-4945-5945-1</info:identifier>
<info:timing>After</info:timing>
</info:informationIdentifier>
<info:informationIdentifier>
<info:identifier>002-4856-8456-8156-2</info:identifier>
<info:timing>After</info:timing>
</info:informationIdentifier>
<info:informationIdentifier>
<info:identifier>001-0015-8562-8654-2</info:identifier>
<info:timing>Before</info:timing>
</info:informationIdentifier>
<info:informationIdentifier>
<info:identifier>003-4865-4851-2569-2</info:identifier>
<info:timing>Before</info:timing>
</info:informationIdentifier>
</info:informationIdentifierList>
</entry>
また、ＣＳＶで印刷ジョブとログ管理ポリシーを委譲印刷ジョブ要求として表現する場合は、以下に示すように、ＨＴＴＰ（Hyper Text Transfer Protocol）のマルチパートを用いることで送信することができる。
--sample
content-disposition: form-data; name="job"
Content-Type: text/csv
ジョブ名, 印刷,
ユーザ名, ○○△△
グループ名, ユーザ
ジョブオプション：色, 自動
ジョブオプション：両面, なし
ジョブオプション：パンチ, なし
--sample
content-disposition: form-data; name="info"
Content-Type: text/csv
001-4843-8456-8845-1, Before
001-5948-4945-5945-1, After
002-4856-8456-8156-2, After
001-0015-8562-8654-2, Before
003-4865-4851-2569-2, Before
複合装置ＭＦａは、上述のようにして委譲する印刷ジョブとログ管理ポリシーからなる委譲印刷ジョブ要求を作成すると、該作成した委譲印刷ジョブ要求を委譲先の複合装置ＭＦｂにネットワークＮＷを介して送信する（図５のＳ１１）。
【００４５】
そして、委譲印刷ジョブ要求を受け取った移譲先の複合装置ＭＦｂは、そのジョブ管理機能部４７が受け取った（ＣＳＶ形式やＸＭＬ形式等）の委譲印刷ジョブ要求の構文解析を行って解釈し、委譲された印刷ジョブの判断を行い、また、ログ管理ポリシー解析機能部４６が、ログ管理ポリシーの構文解析を行って解釈する。移譲先の複合装置ＭＦｂは、は、解釈された印刷ジョブの内容をリソースを利用して実行するとともに、リソース毎に、解釈された該ログ管理ポリシーに基づいて、ログ管理機能部４９が、管理ログに記録するリソースを判断して、ログ管理を行うが、上述のように、移譲先の複合装置ＭＦｂのログ管理機能部４９で、記録有無に「無」が設定されている識別子については、管理ログを記録しない。
【００４６】
移譲先の複合装置ＭＦｂは、上述のようにして印刷ジョブの解釈とログ管理ポリシーの解釈を行うと、該解釈の結果に応じて、リソースを使用して、委譲された印刷ジョブを実行するとともに、印刷ジョブの実行に関する管理ログを生成する（図５のＳ１２）。
【００４７】
移譲先の複合装置ＭＦｂは、印刷ジョブの実行と管理ログの生成を行うと、生成した管理ログを委譲元の複合装置ＭＦａに送信し（図５のＳ１３）、複合装置ＭＦａは、印刷ジョブ依頼元のクライアントＣｔに対して印刷ジョブの完了（操作終了）を通知して処理を完了する（図５のＳ１４）。
【００４８】
そして、印刷ジョブの委譲を受けた複合装置ＭＦｂでの動作を、さらに詳細に説明すると、図１０に示すように、印刷ジョブの委譲を受けた複合装置ＭＦｂは、そのジョブ管理機能部４７がジョブ実行前のログの生成をログ管理機能部４９に行わせ（図１０のＳ２０）、リソース管理機能部４８に、リソース情報の問い合わせを行う（図１０のＳ２１）。このリソース情報の問い合わせでは、まず、印刷用モジュールＭａの処理Ａの実行時に取得することのできるリソースに関する問い合わせであり、このリソース情報問い合わせに応じてリソース管理機能部４８は、印刷用モジュールＭａの処理Ａで取得できるリソース識別子の集合Ｒａをジョブ管理機能部４７に返す。すなわち、リソース管理機能部４８は、事前に他の全モジュールから、各モジュールが取得することのできるリソース情報を取得して保管しており、ジョブ管理機能部４７からの問い合わせに応じて印刷用モジュールＭａの処理Ａで取得できるリソース識別子の集合Ｒａをジョブ管理機能部４７に返す。
【００４９】
ジョブ管理機能部４７は、リソース管理機能部４８への問い合わせ結果から、印刷用モジュールＭａがログに記録するリソース情報を判断する。この判断は、自機（複合装置ＭＦｂ）のログ管理ポリシーと委譲元の複合装置ＭＦａから送付されたログ管理ポリシーに基づいて行う。
【００５０】
ジョブ管理機能部４７は、該取得したリソース識別子と各リソース識別子毎の記録タイミングの集合ＴＲａであるログ管理ポリシーをログ管理ポリシー機能部５０に生成させて、該生成された印刷用モジュールＭａに対するログ管理ポリシーである集合ＴＲａと処理Ａをジョブ実行依頼Ｊａとして印刷用モジュールＭａに渡す（図１０のＳ２２）。
【００５１】
印刷用モジュールＭａは、まず、実行前ログの生成を行う（図１０のＳ２３）。この処理Ａを実行する前のログの内容は、ジョブ管理機能部４７から通知されたリソース情報のうち、ジョブ実行前に記録する情報で、かつ、印刷用モジュールＭａで取得できるリソース情報についてのログである。
【００５２】
印刷モジュールＭａは、次に、依頼された処理Ａを実行して（図１０のＳ２４）、印刷用モジュールＭａが印刷用モジュールＭｂを呼び出す場合、リソース管理機能部４８にリソース情報の問い合わせを行う（図１０のＳ２５）。このリソース情報の問い合わせは、印刷用モジュールＭｂの処理Ｂの実行時に取得できるリソースの問い合わせである。
【００５３】
問い合わせ結果から、ジョブ管理機能部４７は印刷用モジュールＭｂがログに記録するリソース情報を判断し、この判断は、複合装置ＭＦｂのログ管理ポリシーと送付されてきたログに記録するリソース情報から行う。
【００５４】
印刷モジュールＭａは、リソース管理機能部４８からリソース識別子の集合Ｒｂを受け取ると、印刷用モジュールＭｂに処理Ｂをジョブ実行依頼Ｊｂとして渡す（図１０のＳ２６）。
【００５５】
印刷用モジュールＭｂは、まず、実行前ログの生成を行う（図１０のＳ２７）。この処理Ｂを実行する前のログの内容は、印刷用モジュールＭａから通知されたリソース情報のうち、ジョブ実行前に記録する情報で、かつ、印刷用モジュールＭｂで取得できるリソース情報についてのログである。
【００５６】
印刷モジュールＭｂは、次に、依頼された処理Ｂを実行して（図１０のＳ２８）、処理（ジョブ）実行後に記録するリソース情報をログに記録し（図１０のＳ２９）、処理完了を印刷用モジュールＭａに通知する。
【００５７】
印刷用モジュールＭａは、印刷用モジュールＭｂから処理終了の通知があると、処理Ａの残りの処理（処理Ａ２）を実行し（図１０のＳ３０）、処理実行後に記録するリソース情報をログに記録して（図１０のＳ３１）、ジョブ管理機能部４７に処理完了を通知する。
【００５８】
ジョブ管理機能部４７は、ジョブ完了通知を受け取ると、処理実行後の全てのリソース情報のログ生成を行って、処理を終了する（図１０のＳ３２）。
【００５９】
このように、本実施例の画像処理システム１は、ネットワークＮＷで接続され、各種リソースを利用してそれぞれ画像処理する複数の複合装置ＭＦａ〜ＭＦｃが、印刷ジョブ（画像処理要求）を受け取ると、該印刷ジョブの画像処理内容と該画像処理の実行に使用するリソース毎の管理ログの生成ポリシーを示すログ管理ポリシーとを委譲印刷ジョブ要求（委譲画像処理要求）として生成し、該委譲印刷ジョブ要求をネットワークＮＷを介して他の複合装置ＭＦａ〜ＭＦｃに送って、他のＭＦＰａ〜ＭＦｃが委譲印刷ジョブ要求を受け取ると、該委譲印刷ジョブ要求を解析して画像処理内容及びログ管理ポリシーを解釈し、該解釈結果に基づいて必要なリソースを利用して委譲された該画像処理を実行し、該解釈結果に基づいて該画像処理に利用されたリソース毎の管理ログを該ログ管理ポリシーに基づいて生成している。
【００６０】
したがって、複合装置ＭＦａ〜ＭＦｃは、委譲印刷ジョブ要求を他の複合装置ＭＦａ〜ＭＦｃに渡す際に、ログ管理ポリシーにつついても通知するので、画像処理をネットワークＮＷ上の複数の複合装置ＭＦａ〜ＭＦｃで分散処理する場合の管理ログをログ管理ポリシーに基づいてリソース毎に適切に作成することができ、ログ管理を適切に行うことができる。また、ログ管理ポリシーに、ログに残すリソース情報とタイミングを指定しているので、ログの内容を動的に決定することができ、ログ管理の適正化をより一層向上させることができる。
【００６１】
また、本実施例の画像処理システム１は、ログ管理ポリシーの情報識別子として、画像処理システム１の各複合装置ＭＦａ〜ＭＦｃの全てのリソースに対して割り振られているとともに、該全ての複合装置ＭＦａ〜ＭＦｃに対して普遍の情報が用いられている。
【００６２】
したがって、複合装置ＭＦａ〜ＭＦｃの新旧に関係なく、ログ管理ポリシーを定義する識別子を同一の識別子で指定するので、ログ管理ポリシーを柔軟に設定することができ、ログ管理を適切に行うことができる。
【００６３】
さらに、本実施例の画像処理システム１は、ログ管理ポリシーの情報識別子として、所定の画像処理で利用可能なリソースの種類を識別するグループ情報と該グループ情報に属する該リソース固有の固有情報とを有したものを用い、画像処理の実行において、その複合装置ＭＦａ〜ＭＦｃの備えているリソースのうち、該グループ情報に基づいて画像処理要求の実行に使用するリソースを選択して画像処理を実行し、該画像処理の実行で使用した該リソースに関する管理ログを生成している。
【００６４】
したがって、画像処理に使用するリソースの特定と該リソースを利用した画像処理の管理ログを適切に作成することができ、ネットワークＮＷ上での分散画像処理の適正化とログ管理の適正化を図ることができる。例えば、カラーモードがオートでカラー機能を有する複合装置にクライアントから画像処理要求を行って、該複合装置が、他のモノクロ複合装置へ委譲印刷ジョブ要求（委譲画像処理要求）を行った場合にも、代替可能なリソース情報を特定するので、色に関する情報についてフルカラーの情報からモノクロの情報に変換して管理ログを生成することができる。
【００６５】
また、本実施例の画像処理システム１は、移譲先の複合装置ＭＦａ〜ＭＦｃでの管理ログ生成において、委譲印刷ジョブ要求の所定のリソースに関するログ管理ポリシーが、該リソースの管理ログの生成を行わない設定または該リソースが該委譲元の複合装置ＭＦａ〜ＭＦｃに存在しない場合には、移譲先の複合装置ＭＦａ〜ＭＦｃのログ管理ポリシーに基づいて該リソースについて管理ログを生成するか否か制御している。
【００６６】
したがって、委譲印刷ジョブ要求を受けた場合に、ログ管理ポリシーのレベルが下がることを防止することができ、各複合装置ＭＦａ〜ＭＦｃのログ管理の適正化を向上させることができる。
【００６７】
さらに、本実施例の画像処理システム１は、その委譲先の複合装置ＭＦａ〜ＭＦｃが、委譲印刷ジョブ要求を解析して、画像処理内容を必要な各部に通知して、ログ管理ポリシー機能部５０が管理ログとして生成するリソースを特定する情報識別子と管理ログを生成するタイミング情報をログ管理機能部４９に通知して、ログ管理機能部４９が必要な管理ログを生成している。
【００６８】
したがって、必要な画像処理、例えば、印刷ジョブの実行と、該画像処理に伴う管理ログを適切に生成することができる。
【００６９】
なお、上記説明では、複合装置ＭＦａが、クライアントＣｔから印刷ジョブを受け取って複合装置ＭＦｂに印刷ジョブの委譲を行う場合について説明したが、印刷の委譲を行うのは、複合装置ＭＦａに限るものでないことは、いうまでもなく、複合装置ＭＦｂ、ＭＦｃが行ってもよいし、移譲先も、１つの複合装置ＭＦａ〜ＭＦｃに限るものではなく、２つ委譲の複合装置ＭＦａ〜ＭＦｃに委譲してもよい。
【００７０】
そして、印刷ジョブの委譲を受けた複合装置ＭＦａ〜ＭＦｃは、通常、印刷ジョブの委譲を受けた複合装置ＭＦａ〜ＭＦｃのハードディスク２１等に管理ログを保管し、また、保管する設定とはなっていないときには、上述のように、委譲元の複合装置ＭＦａ〜ＭＦｃに生成した管理ログを返送する。
【００７１】
ところが、委譲元の複合装置ＭＦａ〜ＭＦｃが委譲先で作成された管理ログを受け取らないときには、委譲先の複合装置ＭＦａ〜ＭＦcは、図１１に示すように、ネットワークＮＷにログ収集サーバＬＳが接続されているか調査して、ログ収集サーバＬＳがネットワークＮＷに接続されているときには、該ログ収集サーバＬＳに生成した管理ログを送信する。
【００７２】
すなわち、図１２に示すように、クライアントＣｔが印刷ジョブを複合装置ＭＦａに行って、複合装置ＭＦａが複合装置ＭＦｂに印刷ジョブの委譲を行うが、複合装置ＭＦａが管理ログを受け取らない設定となっている場合の処理手順を示している。なお、図１２においては、図５と同様の処理手順については、同一の手順ナンバーを付している。
【００７３】
いま、画像処理システム１は、クライアントＣｔから印刷ジョブが複合装置ＭＦａに送られると（図１２のＳ１０）、複合装置ＭＦａは、該印刷ジョブをジョブ管理機能部４７で管理して、自装置では対応できないと判断すると、ジョブ管理機能部４７が印刷ジョブを他の複合装置ＭＦｂに委譲するための印刷ジョブの作成を行い、また、ログ管理ポリシー機能部５０が、印刷ジョブを他の複合装置ＭＦｂに委譲するためのログ管理ポリシー（通常、複合装置ＭＦａの実行しているログ管理ポリシーと同じログ管理ポリシー）の作成を行って、委譲印刷ジョブ要求として、複合装置ＭＦｂに送って印刷ジョブの委譲を行う（図１２のＳ１１）。
【００７４】
移譲先の複合装置ＭＦｂは、上述のようにして委譲印刷ジョブ要求から印刷ジョブの解釈とログ管理ポリシーの解釈を行うと、該解釈の結果に応じて、リソースを使用して、委譲された印刷ジョブを実行するとともに、印刷ジョブの実行に関する管理ログを生成する（図１２のＳ１２）。
【００７５】
複合装置ＭＦｂは、印刷ジョブの実行と管理ログの作成を完了すると、いま、ジョブ委譲元の複合装置ＭＦａが管理ログの受け取りを拒否しているので、ネットワークＮＷに接続されているログ収集サーバＬＳに生成した管理ログを送信し（図１２のＳ１３ｂ）、操作終了（印刷ジョブ完了通知）を委譲元の複合装置ＭＦａに送る（図１２の１３ａ）。
【００７６】
複合装置ＭＦａは、複合装置ＭＦａは、印刷ジョブ依頼元のクライアントＣｔに対して印刷ジョブの完了（操作終了）を通知して処理を完了する（図１２のＳ１４）。
【００７７】
そして、複合装置ＭＦｂは、ウェブサービスを用いて管理ログをＸＭＬで作成してログ収集サーバＬＳに送信する場合、以下のような内容のものとなる。
<entry>
<id>entryId</id>
<title>entryTitle</title>
<author>
<name>entryName</name>
</author>
<updated>1970-01-01T00:00:00Z</updated>
<job:jobRequest xmlns:job="http://example.schemas.com/job">
<job:jobName>印刷</job:jobName>
<job:userName>○○△△</job:userName>
<job:groupName>ユーザ</job:groupName>
<job:option>
<job:color>自動</job:color>
<job:duplex>なし</job:duplex>
<job:punch>なし</job:punch>
</job:option>
</job:jobRequest>
<log:logList xmlns:log="http://example.schemas.com/log">
<log:log>
<info:informationIdentifier xmlns:info="http://example.schemas.com/info">
<info:identifier>001-4843-8456-8845-1</info:identifier>
<info:timing>Before</info:timing>
</info:informationIdentifier>
<log:result>0</log:result>
</log:log>
<log:log>
<info:informationIdentifier xmlns:info="http://example.schemas.com/info">
<info:identifier>001-5948-4945-5945-1</info:identifier>
<info:timing>After</info:timing>
</info:informationIdentifier>
<log:result>100</log:result>
</log:log>
<log:log>
<info:informationIdentifier xmlns:info="http://example.schemas.com/info">
<info:identifier>002-4856-8456-8156-2</info:identifier>
<info:timing>After</info:timing>
</info:informationIdentifier>
<log:result>true</log:result>
</log:log>
<log:log>
<info:informationIdentifier xmlns:info="http://example.schemas.com/info">
<info:identifier>001-0015-8562-8654-2</info:identifier>
<info:timing>Before</info:timing>
</info:informationIdentifier>
<log:result>true</log:result>
</log:log>
<log:log>
<info:informationIdentifier xmlns:info="http://example.schemas.com/info">
<info:identifier>003-4865-4851-2569-2</info:identifier>
<info:timing>Before</info:timing>
</info:informationIdentifier>
<log:result>auto</log:result>
</log:log>
</log:logList>
</entry>
このように、本実施例の画像処理システム１は、移譲先の複合装置ＭＦａ〜ＭＦｃが、少なくとも委譲印刷ジョブ要求に応じて生成した管理ログを保管する設定とはなっていないときには、該委譲画像処理要求の委譲元の複合装置ＭＦａ〜ＭＦｃまたはネットワーク上のログ収集サーバＬＳに、生成した該管理ログを送信することを特徴としてもよい。
【００７８】
したがって、委譲先の複合装置ＭＦａ〜ＭＦｃの記憶装置の容量を他のＭＦＰａ〜ＭＦｃから依頼された画像処理のログを蓄積することで圧迫することを防止することができ、各複合装置ＭＦａ〜ＭＦｃの運用の適正化を図ることができる。
【００７９】
なお、上記説明では、複合装置ＭＦａが複合装置ＭＦｂに印刷ジョブの委譲を行う場合について説明したが、複合装置ＭＦａ〜ＭＦｃから他の複合装置ＭＦａ〜ＭＦｃのいずれかまたは双方に印刷ジョブの委譲を行う場合にも同様に適用することができ、また、複合装置ＭＦ数がさらに多い場合にも同様に適用することができる。
【００８０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００８１】
本発明は、複数の画像処理装置で画像処理要求を分散して処理する際のログ管理を適切に行う画像処理システム、画像処理管理方法、画像処理管理プログラム及び記録媒体に利用することができる。
【図面の簡単な説明】
【００８２】
【図１】本発明の一実施例を適用した画像処理システムのシステム構成図。
【図２】複合装置の外観概略構成図。
【図３】複合装置の要部機能ブロック構成図。
【図４】印刷ジョブの一例を示す図。
【図５】印刷ジョブの委譲とログ管理手順の説明図。
【図６】モジュール毎のジョブ実行依頼作成説明図。
【図７】ログ管理ポリシーの一例を示す図。
【図８】ログ管理ポリシーの情報識別子のグループ情報に関する説明図。
【図９】記録有無設定を有するログ管理ポリシーテーブルの一例を示す図。
【図１０】移譲先の複合装置での処理シーケンスを示す図。
【図１１】ログ収集サーバを有する画像処理システムのシステム構成図。
【図１２】管理ログをログ収集サーバに送る場合の印刷ジョブの委譲とログ管理手順の説明図。
【符号の説明】
【００８３】
１  画像処理システム
ＮＷ  ネットワーク
ＭＦａ〜ＭＦｃ  複合装置
Ｃｔ  クライアント
Ｓａ〜Ｓｃ  セキュリティポリシー
１０  本体筐体
１１、１２、１３  給紙トレイ
１４  排紙トレイ
１５  スキャナ部
２１  ハードディスク
２２  メモリ
２３  ＣＰＵ
３０  ＯＳ
４０  アプリケーション
４１  通信機能部
４２  スキャナ機能部
４３  プリンタ機能部
４４  ファクシミリ機能部
４５  ログ取得機能部
４６  ログ管理ポリシー解析機能部
４７  ジョブ管理機能部
４８  リソース管理機能部
４９  ログ管理機能部
５０  ログ管理ポリシー機能部
５１  操作表示部機能部
Ｍａ、Ｍｂ・・・  印刷用モジュール
Ｊａ、Ｊｂ・・・  ジョブ実行依頼
ＬＳ  ログ収集サーバ
【図１】
2010016730.tif 000003
【図２】
2010016730.tif 000004
【図３】
2010016730.tif 000005
【図４】
2010016730.tif 000006
【図５】
2010016730.tif 000007
【図６】
2010016730.tif 000008
【図７】
2010016730.tif 000009
【図８】
2010016730.tif 000010
【図９】
2010016730.tif 000011
【図１０】
2010016730.tif 000012
【図１１】
2010016730.tif 000013
【図１２】
2010016730.tif 000014